(57)【要約】      （修正有）【課題】  コンパクトディスクを壁に掛けて収納できるとともに机やテーブル等の卓上に置いたときには見映えが良いように自立させることができるコンパクトディスクの収納シートを提供する。【解決手段】  シート状本体１１に複数のコンパクトディスクの収納部１３が直線状の折れ部１２で区分けされて設けられたコンパクトディスク収納シートであって、各収納部１３の中心部に一対のＵ字状のスリット１５，１５による各舌片１５ａ，１５ａを前記コンパクトディスクの中心孔に挿通して中心孔の周縁に当接させてコンパクトディスクを支持可能であって、円弧状のスリット１７にコンパクトディスクを収納可能な四角いジャケット１６の角部を挿通させて円弧状のスリット１７による舌片１７ａによりジャケット１６を支持可能にしたものである。【選択図】  図１
2006224988.tif 000002
【特許請求の範囲】
【請求項１】
シート状本体に複数のコンパクトディスクの収納部が直線状の折れ部で区分けされて設けられたコンパクトディスク収納シートであって、
前記各収納部の中心部に一対のＵ字状のスリットの先端を相反する側に向けて離間して形成するとともに、一対の円弧状のスリットを前記一対のＵ字状のスリットから所定距離離間して斜めに対向した位置に形成し、
前記一対のＵ字状のスリットによる各舌片を前記コンパクトディスクの中心孔に挿通して前記中心孔の周縁に当接させて前記コンパクトディスクを支持可能であって、
前記円弧状のスリットに前記コンパクトディスクを収納可能な四角いジャケットの角部を挿通させて前記円弧状のスリットによる舌片により前記ジャケットを支持可能であることを特徴とするコンパクトディスク収納シート。
【請求項２】
前記シート状本体は、透明のプラスチックシートであって引張弾性率をＡ（ＭＰａ）とし、最少厚みをｔ（ｍｍ）として、厚みがＡ×ｔ＝４０の関係を有するものについて、一回の抜き加工により形成されていることを特徴とする請求項１に記載のコンパクトディスク収納シート。
【請求項３】
前記シート状本体はプラスチツクシートであって、前記プラスチックシートとして印刷が鮮明になるポリプロピレン樹脂、ポリエチレン樹脂、ポリエステル樹脂、塩化ビニール樹脂、アクリル樹脂、ポリカーボネート樹脂、ナイロン樹脂、ポリスチレン樹脂を用いていることを特徴とする請求項１又は２に記載のコンパクトディスク収納シート。
【請求項４】
前記シート状本体は、紫外線硬化型インキにより絵柄を印刷された透明のプラスチックシートであって、一回の抜き加工を行う事により形成されていることを特徴とする請求項１〜３のいずれか１項に記載のコンパクトディスク収納シート。
【発明の詳細な説明】
【技術分野】
【０００１】
本発明は、コンパクトディスク収納シートに関するものである。
【背景技術】
【０００２】
従来、コンパクトディスク収納シートとしては、シート状の本体（１）の前面に複数個のコンパクトディスクの収納部（２）を設けたコンパクトディスク壁掛け収納シートが知られている。（特許文献１参照）
【０００３】
上記コンパクトディスク壁掛け収納シートを使用するときは、シートの本体（１）の取り付け部（５）を壁に、画びょう等で固定しディスクを収納部（２）に入れて保存する。
【特許文献１】特開２０００−１４２８６８号公報
【発明の開示】
【発明が解決しようとする課題】
【０００４】
上記従来のコンパクトディスク壁掛け収納シートは、壁に掛けて使用されているが、この種のコンパクトディスク収納シートの利用者からは、机やテーブル等の卓上に置いて使用したい要求がある。しかしながら、従来のコンパクトディスク壁掛け収納シートは机やテーブル等の卓上に置くと見映えが悪いため改善が望まれていた。
【０００５】
従って、本発明が解決しようとする課題は、コンパクトディスクを壁に掛けて収納できるとともに机やテーブル等の卓上に置いたときには見映えが良いように自立させることができるコンパクトディスク収納シートの提供である。
【課題を解決するための手段】
【０００６】
上記課題を解決するために請求項１に記載の発明は、シート状本体に複数のコンパクトディスクの収納部が直線状の折れ部で区分けされて設けられたコンパクトディスク収納シートであって、前記各収納部の中心部に一対のＵ字状のスリットの先端を相反する側に向けて離間して形成するとともに、一対の円弧状のスリットを前記一対のＵ字状のスリットから所定距離離間して斜めに対向した位置に形成し、前記一対のＵ字状のスリットによる各舌片を前記コンパクトディスクの中心孔に挿通して前記中心孔の周縁に当接させて前記コンパクトディスクを支持可能であって、前記円弧状のスリットに前記コンパクトディスクを収納可能な四角いジャケットの角部を挿通させて前記円弧状のスリットによる舌片により前記ジャケットを支持可能であることを特徴とするコンパクトディスク収納シートである。
【０００７】
また、請求項２に記載の発明は、前記シート状本体は、透明のプラスチックシートであって引張弾性率をＡ（ＭＰａ）とし、最少厚みをｔ（ｍｍ）として、厚みがＡ×ｔ＝４０の関係を有するものについて、一回の抜き加工により形成されていることを特徴とする請求項１に記載のコンパクトディスク収納シートである。
【０００８】
また、請求項３に記載の発明は、前記シート状本体はプラスチツクシートであって、前記プラスチックシートとして印刷が鮮明になるポリプロピレン樹脂、ポリエチレン樹脂、ポリエステル樹脂、塩化ビニール樹脂、アクリル樹脂、ポリカーボネート樹脂、ナイロン樹脂、ポリスチレン樹脂を用いていることを特徴とする請求項１又は２に記載のコンパクトディスク収納シートである。
【０００９】
また、請求項４に記載の発明は、前記シート状本体は、紫外線硬化型インキにより絵柄を印刷された透明のプラスチックシートであって、一回の抜き加工を行う事により形成されていることを特徴とする請求項１〜３のいずれか１項に記載のコンパクトディスク収納シートである。
【発明の効果】
【００１０】
本発明のコンパクトディスク収納シートによれば、壁に掛けてコンパクトディスクを収納できるとともに机やテーブル等の卓上に置いたときには見映えが良いように自立させることができるものである。
【発明を実施するための最良の形態】
【００１１】
以下、図面に基づいて本発明の実施の形態を説明する。
【実施例１】
【００１２】
図１は本発明に係る実施例１の概略平面図で４枚のコンパクトディスクを収納できるものである。図１において、シート状本体１１は、ヘーズ（曇価）値が５以下の採光性の高い透明のプラスチツクシートを使用している。このプラスックシートとしては、印刷が鮮明になるポリプロピレン樹脂、ポリエチレン樹脂、ポリエステル樹脂、塩化ビニール樹脂、アクリル樹脂、ポリカーボネート樹脂、ナイロン樹脂、ポリスチレン樹脂を用いている。
【００１３】
また、シート状本体１１として使用している透明のプラスチックシートは、壁掛け用としての使用と、自立式のケースとしての使用の２つの使用条件を両立する必要がある。本実施例１において、シート状本体１１は、引張弾性率をＡ（ＭＰａ）と最少厚みをｔ（ｍｍ）との関係が、Ａ×ｔ＝４０の式（１）を満足していれば、壁掛け用として薄く形成しても、自立式のケースとしての強度は十分である。
【００１４】
実施例１では、Ａ×ｔ＝４０の式（１）を満足するように必要条件を定めた。即ち、使用する材料の物性から、シート状本体１１を構成するディスクのシート厚みを決めて、壁掛け用としての使用と自立式のケースとしての使用が両立するものを採用した。
【００１５】
例えば、シート状本体１１が、ＯＰＰ（オリエンテッドポリプロピレン）の場合には、引張弾性率が２０ＭＰａであれば、最少厚みが０．２ｍｍのものを使用する。この条件であれば、２０ＭＰａ×０．２ｍｍ＝４０の式（１）を満足する。
【００１６】
また、シート状本体１１が、ＰＥＴ（ポリエステル）の引張弾性率が４３ＭＰａの場合には、適切な最少厚みｔ１は、４３ＭＰａ×ｔ１ｍｍ＝４０の関係式から、最少厚みｔ１＝０．９３ｍｍ、即ち、厚みは約１ｍｍあれば良い。
【００１７】
また、シート状本体１１には、必要に応じて紫外線硬化型インキにより絵柄を印刷しても良い。その後に、一回の抜き加工を行うことで図１に示すようにシート状本体１１に複数のスリットを形成して、コンパクトディスク収納シート１００を完成した。
【００１８】
コンパクトディスク収納シート１００は、抜き加工時に罫線押しによる直線状の折れ部１２を、個々のコンパクトディスクの収納部１３を区分けする間隔で複数個所形成し、図示のように４つのコンパクトディスクの収納部１３を設けている。コンパクトディスク収納シート１００は、折れ部１２が形成されたことで、各折れ部１２間が個々のコンパクトディスクの収納部１３となって略同じ正方形状に区分けされ、複数のコンパクトディスクの収納部１３が、個々に連続して一列に短冊形状に形成されている。
【００１９】
実施例１では、シート状本体１１のプラスチックシートをＡ×ｔ＝４０の式（１）を満足するように必要条件を定めたので、抜き加工時の、罫線押しによる折れ特性が、プラスチックシートを平面に置いた時や、壁掛けとして吊下げた時に、平坦性を保つ様に、又、折った時に、折った形状をそのまま維持する性質（形態ホールド性）の優れるものとなっているのでシート状本体１１を自立のケースとして使用できる。
【００２０】
また、抜き加工によりコンパクトディスク収納シート１００の最上部のコンパクトディスクの収納部１３の上辺の中央部には壁掛け用の孔１４を形成する。そして各コンパクトディスクの収納部１３の中心部には、一対のＵ字状のスリット１５，１５を、先端を相反する側に向けて離間して形成する。この一対のＵ字状のスリット１５，１５による舌片１５ａ，１５ａは、コンパクトディスクＤの中心孔２１内における係止片として機能する。
【００２１】
また、前記の抜き加工においては、各コンパクトディスクの収納部１３にＵ字状のスリット１５のほかに、コンパクトディスクＤを収納するジャケット１６の角部を差し込んで支持する一対の円弧状のスリット１７，１７を一対のＵ字状のスリット１５，１５から所定距離離間して斜めに対向した位置に形成する。この一対の円弧状のスリット１７による各舌片１７ａ，１７ａは、ジャケット１６の略４５度の角度で斜めに対向して形成され、円弧状のスリット１７，１７内に収納した状態では、各舌片１７ａ，１７ａはジャケット１６の各角部における係止片として機能する。例えば、スリット１７にシート状本体１１の表面に載置したジャケット１６の各角部を差し込んでシート状本体１１の裏面に収納した状態では、各舌片１７ａ，１７ａはシート状本体１１の表面に在るジャケット１６の載置されたスリット１７の近傍において、スリット１７の近傍の面でジャケット１６を下から支え、舌片１７ａが上から押さえることで、シート状本体１１のスリット１７の近傍の面と舌片１７ａとでジャケット１６を上下に挟んで係止する。
【００２２】
図２（ａ）に示すようにコンパクトディスク収納シート１００は、孔１４に画鋲Ｐで壁Ｗに掛けて使用する。そして、一対の舌片１５ａ，１５ａを折り曲げてコンパクトディスクＤの中心孔２１内に挿通し、再び広げて舌片１５ａ，１５ａをコンパクトディスクＤの中心孔の周縁に当接させてコンパクトディスクＤを支持可能であって、各コンパクトディスクの収納部１３にコンパクトディスクＤを外部から見える状態で収納できる。
【００２３】
また、コンパクトディスク収納シート１００には、コンパクトディスクの収納部１３の斜めに対向した位置に離間して一対の円弧状のスリット１７，１７を形成してあるので、この円弧状のスリット１７にコンパクトディスクＤを収納するジャケット１６の角部を差し込んで円弧状のスリット１７による舌片１７ａ，１７ａによりジャケット１６を支持できる。ジャケット１６は、コンパクトディスク収納シート１００の表面、裏面のどちらに収納して使用してもかまわない。図２（ｂ）に示すようにジャケット１６をコンパクトディスク収納シート１００の裏面に収納し、コンパクトディスクＤを表面に収納しておけば、コンパクトディスクＤのみを容易に取出すことができる。また、図２（ｃ）に示すようにコンパクトディスクＤをコンパクトディスク収納シート１００の表面に収納し、その上からコンパクトディスクＤを被うようにジャケット１６を収納すれば、コンパクトディスクＤの日焼けによる損傷を防止できる。
【００２４】
また、コンパクトディスク収納シート１００を壁Ｗに掛けないときには、図３（ａ）に示すように、各折れ部１２で小さく折り畳んでコンパクトな収納ケースになり、バッグに入れて携帯することもできる。そして、コンパクトディスク収納シート１００を小さく折り畳んだ状態において、聴きたいディスクを取り出す場合には、コンパクトディスク収納シート１００を広げなくても聴きたいディスクを探して容易に取り出すことができる。
【００２５】
また、テーブルや机等の卓上に置く場合には、図３（ｂ）に示すようにコンパクトディスク収納シート１００を四角柱状、または三角柱状に組み立てて、各折れ部１２を直立させれば、コンパクトディスク収納シート１００は、外部から見える状態でコンパクトディスクＤを収納した状態で卓上に容易に自立させて設置できるので見映えが良い。
【実施例２】
【００２６】
図４は本発明に係る実施例２の概略平面図でコンパクトディスク収納シート１０１には、１個所に直線状の折れ部１２を形成して、２つのコンパクトディスクの収納部１３を設けている点が実施例１のコンパクトディスク収納シート１００と異なっているが、その他の構成は同じであり、上部のコンパクトディスクの収納部１３の上辺の中央部には壁掛け用の孔１４を形成し、孔１４に画鋲Ｐで壁に掛けて使用する。
【００２７】
コンパクトディスク収納シート１０１は、折れ部１２で折り畳めるし、折り畳んだ状態から、例えば９０度前後の角度に開けば外部から見える状態でコンパクトディスクＤを収納した状態で卓上に容易に設置できる。
【実施例３】
【００２８】
図５は本発明に係る実施例３の概略平面図でコンパクトディスク収納シート１０２は、実施例２のコンパクトディスク収納シート１０１を２枚連設した略正方形の形態であり、上部のコンパクトディスクの収納部１３，１３の上辺の中央部には壁掛け用の孔１４，１４を形成し、孔１４，１４に紐を取付け、この紐で壁に掛けて使用する。
【００２９】
コンパクトディスク収納シート１０２には、直角に交差して２本の直線状の折れ部１２を形成して、４つのコンパクトディスクの収納部１３を設けている。コンパクトディスク収納シート１０２も、折れ部１２で折り畳むことができる。また、コンパクトディスク収納シート１０２を一方の折れ部１２で２つ重ねに折り畳んだ状態にして、重なった他方の折れ部１２で折って、９０度前後の角度で開けば外部から見える状態でコンパクトディスクＤを収納した状態で卓上に容易に自立させることができる。
【００３０】
本発明は前記実施例に限定されるものではなく、特許請求の範囲に記載された本発明を逸脱することがなければ、種々の設計変更が可能であり、前記実施例に限定されないことはいうまでもない。
【図面の簡単な説明】
【００３１】
【図１】は本発明に係る実施例１の概略平面図である。
【図２】（ａ），（ｂ），（ｃ）は実施例１のコンパクトディスク収納シートを壁掛け状態での使用例の説明図である。
【図３】（ａ），（ｂ）は実施例１のコンパクトディスク収納シートを携帯する際の使用例の説明図である。
【図４】は本発明に係る実施例２の概略平面図である。
【図５】は本発明に係る実施例３の概略平面図である。
【符号の説明】
【００３２】
１１  シート状本体
１２  折れ部
１３  収納部
１４  孔
１５  Ｕ字状のスリット
１５ａ，１７ａ  舌片
１６  ジャケット
１７  円弧状のスリット
２１  コンパクトディスクＤの中心孔
１００，１０１，１０２  コンパクトディスク収納シート
Ｄ  コンパクトディスク
Ｐ  画鋲
Ｗ  壁
【図１】
2006224988.tif 000003
【図２】
2006224988.tif 000004
【図３】
2006224988.tif 000005
【図４】
2006224988.tif 000006
【図５】
2006224988.tif 000007